【誤訳訂正書】
【提出日】平成31年1月17日(2019.1.17)
【誤訳訂正１】
【訂正対象書類名】特許請求の範囲
【訂正対象項目名】全文
【訂正方法】変更
【訂正の内容】
【特許請求の範囲】
【請求項１】
式Ｉ
【化１】
2016502568.tif 000001
式中、
Ｒ１１は、１〜１５個のＣ原子を有する非置換のアルキルラジカル、ここで加えて、このラジカルにおける１つまたは２つ以上のＣＨ２基は、互いに独立して、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により、Ｏ原子が互いに直接的に結合しないように、置き換えられていてもよい、を示し、
Ｘ１１は、Ｆ、Ｃｌ、ＣＮを示すか、または１〜１５個のＣ原子を有し、Ｆにより単置換または多置換されているアルキルラジカル、ここで加えて、このラジカルにおける１つまたは２つ以上のＣＨ２基は、互いに独立して、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により、Ｏ原子が互いに直接的に結合しないように、置き換えられていてもよい、を示す、
で表される少なくとも１種の化合物、式ＩＩ
【化２】
2016502568.tif 000002
式中、
Ｒ２１は、非置換であるか、ＣＮもしくはＣＦ３により単置換されているか、またはハロゲンにより少なくとも単置換されている、１５個までのＣ原子を有するアルキルまたはアルケニルラジカル、ここで加えて、これらのラジカルにおける１つまたは２つ以上のＣＨ２基は
【化３】
2016502568.tif 000003
または−Ｏ−ＣＯ−により、Ｏ原子が互いに直接的に結合しないように置き換えられていてもよい、を示し、
Ｘ２１は、Ｆ、Ｃｌ、ＣＮを示すか、１〜６個のＣ原子を有するハロゲン化アルキルもしくはアルコキシラジカル、または２〜６個のＣ原子を有するハロゲン化アルケニルラジカルを示す、
で表される少なくとも１種の化合物、および式ＩＩＩ
【化４】
2016502568.tif 000004
式中、
Ｒ３１は、非置換であるか、ＣＮもしくはＣＦ３により単置換されているか、またはハロゲンにより少なくとも単置換されている１５個までのＣ原子を有するアルキルまたはアルケニルラジカル、ここで加えて、これらのラジカルにおける１つまたは２つ以上のＣＨ２基は−Ｏ−、−Ｓ−、−Ｃ≡Ｃ−、−ＣＨ＝ＣＨ−、−ＯＣ−Ｏ−または−Ｏ−ＣＯ−により、Ｏ原子が互いに直接的に結合しないように置き換えられていてもよい、を示す、
で表される少なくとも１種の化合物を含み、
ただし、重合性化合物を含まない、
液晶の再配向のための再配向層を有し、その電界が、再配向に重要な、液晶層に平行な成分を有する、電気光学ディスプレイのための液晶媒体。
【請求項２】
式ＩＩで表される化合物が式ＩＩａ〜ＩＩｅ
【化５】
2016502568.tif 000005
式中、Ｒ２１は請求項１のもとで示される意味の１つを有する、
で表される化合物から選択されることを特徴とする、請求項１に記載の媒体。
【請求項３】
式Ｉ＊
【化６】
2016502568.tif 000006
式中、Ｒ１１＊は、１〜１５個のＣ原子を有する非置換のアルキルラジカル、ここで加えて、このラジカルにおける１つまたは２つ以上のＣＨ２基はそれぞれ、互いに独立して、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により、Ｏ原子が互いに直接的に結合しないように置き換えられていてもよい、好ましくは２〜７個のＣ原子を有する直鎖のアルキルラジカル、
Ａ１１＊、Ａ１２＊はそれぞれ、互いに独立して、
【化７】
2016502568.tif 000007
Ｘ１１＊は、Ｆ、Ｃｌ、ＣＮであるか、または１〜３個のＣ原子を有するアルキル、アルケニル、アルケニルオキシ、アルキルアルコキシもしくはアルコキシ、これはＦにより単置換または多置換されている、である、
で表される１種または２種以上の化合物を含む、請求項１または２に記載の媒体。
【請求項４】
式ＩＶ
【化８】
2016502568.tif 000008
式中、
Ｒ４１は、１〜１５個のＣ原子を有する非置換のアルキルラジカル、ここで加えて、このラジカルにおける１つまたは２つ以上のＣＨ２基は、互いに独立して、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）−、−（ＣＯ）−または−Ｏ−により、Ｏ原子が互いに直接結合しないように、置き換えられていてもよい、を、好ましくは２〜７個のＣ原子を有する直鎖のアルキルラジカルを示し、
Ａ４１、Ａ４２はそれぞれ、互いに独立して
【化９】
2016502568.tif 000009
Ｌ４１およびＬ４２はそれぞれ、互いに独立してＨまたはＦを示し、および
Ｘ４１は、Ｆ、Ｃｌ、ＣＮを示すか、または１〜３個のＣ原子を有するアルキル、アルケニル、アルケニルオキシ、アルキルアルコキシもしくはアルコキシ、これはＦにより単置換または多置換されている、を示す、
で表される少なくとも１種または２種以上の化合物を含む、請求項１〜３のいずれか一項に記載の媒体。
【請求項５】
式Ｖ
【化１０】
2016502568.tif 000010
式中、
Ｒ５１およびＲ５２はそれぞれ、互いに独立して、１５個までのＣ原子を有する非置換のアルキルまたはアルケニルラジカル、ここで加えて、これらのラジカルにおける１つまたは２つ以上のＣＨ２基は、
【化１１】
2016502568.tif 000011
−Ｃ≡Ｃ−、−ＯＣ−Ｏ−、または−Ｏ−ＣＯ−により、Ｏ原子が互いに直接的に結合しないように置き換えられていてもよい、を示す、
で表される少なくとも１種または２種以上の化合物を含む、請求項１〜４のいずれか一項に記載の媒体。
【請求項６】
式ＶＩ
【化１２】
2016502568.tif 000012
式中、
Ｒ６１は、１〜１０個のＣ原子を有するアルキルもしくはアルコキシラジカルまたは２〜１０個のＣ原子を有するアルケニルラジカルを示し、
Ｒ６２は、Ｒ６１の意味の１つを有するか、またはＸ６１を示し、
Ａ６１およびＡ６２は、
【化１３】
2016502568.tif 000013
を示し、
Ｘ６１は、Ｆ、Ｃｌ、ＣＮを示すか、１〜６個のＣ原子を有するハロゲン化アルキルもしくはアルコキシラジカル、または２〜６個のＣ原子を有するハロゲン化アルケニルラジカルを示す、
で表される少なくとも１種または２種以上の化合物を含む、請求項１〜５のいずれか一項に記載の媒体。
【請求項７】
請求項１〜６のいずれか一項に記載の媒体の調製方法であって、請求項１において示される、式Ｉ、ＩＩおよびＩＩＩで表される１種または２種以上の化合物を、請求項３〜６のいずれか一項において述べられた１種または２種以上の化合物および／または１種または２種以上のさらなるメソゲン化合物および／または１種または２種以上の添加剤と混合することを特徴とする、前記方法。
【請求項８】
電気光学ディスプレイにおける、請求項１〜６のいずれか一項に記載の液晶媒体の使用。
【請求項９】
液晶の再配向のための再配向層を有し、その電界が、再配向に重要な、液晶層に平行な成分を有する、電気光学ディスプレイであって、誘電体として、請求項１〜６のいずれか一項に記載の液晶媒体を含有する、前記電気光学ディスプレイ。
【誤訳訂正２】
【訂正対象書類名】明細書
【訂正対象項目名】０００１
【訂正方法】変更
【訂正の内容】
【０００１】
本発明は、液晶の再配向のための再配向層を有し、その電界が再配向に重要な、液晶層に平行な成分を有する電気光学液晶ディスプレイであって、式Ｉ
【化１】
2016502568.tif 000014
で表される少なくとも１種の化合物、式ＩＩ
【化２】
2016502568.tif 000015
で表される少なくとも１種の化合物、および式ＩＩＩ
【化３】
2016502568.tif 000016
で表される少なくとも１種の化合物
式中、パラメーターＲ１１〜Ｒ１３、Ｘ１１およびＸ２１は請求項１に示される意味をそれぞれ有する、
を含有することを特徴とする、液晶媒体を含有する、前記電気光学液晶ディスプレイに関する。
【誤訳訂正３】
【訂正対象書類名】明細書
【訂正対象項目名】００６５
【訂正方法】変更
【訂正の内容】
【００６５】
液晶の再配向のための再配向層を有し、その電界が、再配向に重要な、液晶層に平行な成分を有する、電気光学ディスプレイであって、誘電体として本発明による液晶媒体を含有する、前記ディスプレイもまた、本発明による。